(57)【要約】      （修正有）【課題】金属性壁面に対応して使用する家庭用壁面フックで、マグネットで発生させた吸着力を容易に解除できるマグネット付フックを提供する。【解決手段】フック台座２に開口するフック軸孔５は、太孔６と細孔６ａの段付き孔で、裏面２ａに開口する太孔６には段部底６ａの定位置に谷６ｂから除々に山６ｃに連なるカム体７形状とする。この段付きのフック軸孔５に差し込まれ回動するフック軸９も又太軸９ａと細軸９ｂの段付き軸で、細軸９ｂにはフック１が差し込まれ保持され、太軸９ａの段部には前記カム体７の谷６ｂと整合する山６０ｃと太孔６の山６ｃに整合する太軸９ａの谷６０ｂとが整合して、フック１がフック台座２の定位置に保持される。このフック１の回動で、端子側面９ｃが徐々に回動しながら突き出ることでマグネット４の磁気的に吸着する鉄板Ａを突き上げ引き離される。【選択図】図１
0003143389.tif 000002
【実用新案登録請求の範囲】
【請求項１】
物品を吊るすフック１を備えた、合成樹脂製のフック台座２の裏面２ａの一部に固接されたコの字形金属ヨーク３をマグネット４の側面に磁気的に吸着させて一体化してなるマグネット付きフックにおいて、当該フック台座２に一体化するマグネット４に近接して開口するフック軸孔５は、太孔６と細孔６ａの段付き孔で、裏面２ａに開口する太孔６には段部底６ａの定位置に谷６ｂから除々に山６ｃに連なるカム体７形状で、表面２ｂ側は軸孔６ａとしている、そして、この段付きのフック軸孔５に差し込まれ円滑に回動するフック軸９も又太軸９ａと細軸９ｂの段付き軸で、このフック軸９の細軸９ｂにはフック１を保持するフック止め孔１０にフック１が差し込まれ保持され、太軸９ａの段部には前記カム体７の谷６ｂと整合する山６０ｃと太孔６の山６ｃに整合する太軸９ａの谷６０ｂとが整合して、フック１がフック台座２の定位置に保持される。このフック１の回動で、太軸９ａの山６０ｃが徐々に細孔８の谷６ｂを起点に節度ある太孔６の山６ｃに乗り上げられフック軸９の端子側面９ｃがマグネット４表面と同つら面より徐々に回動しながら突き出ることでマグネット４の磁気的に吸着する鉄板Ａを突き上げ引き離されることで、フック１の僅かな回動に依って鉄板Ａに強着するマグネット４を剥離可能にした事を特徴とするマグネット付きフック。
【請求項２】
前記するフック台座２の裏面２ａに一体化するマグネット４に近接して、該マグネット４のつら面より僅か突出の段差で、スチレン系、ウレタン系等の粘着ゲル素材シートＢをフック台座２に貼り付け、マグネット４の吸着後の滑りの保持力を補強可能にしたことを特徴とする請求項１記載のマグネット付きフック。
【請求項３】
前記する粘着ゲル素材シートＢとフック台座２との貼り付けを、２重成形で粘着ゲル素材シートＢをフック台座２に一体化した事を特徴とする請求項１又は２項記載のマグネット付きフック。
【考案の詳細な説明】
【技術分野】
【０００１】この考案は、冷蔵庫の金属塗装面、机、キャビネット、棚、ホーロー流し台等の金属（鉄板）で成る壁面に吸着して物品を掛ける為のマグネット付きのフックを壁面から取り外したり、移動したりする際に、強力に金属壁面に吸着したマグネットを、簡単に取り外すことの出来る装置を持った、使い勝手の良いマグネット付きフックの改良に関する。
【背景技術】
【０００２】  此の種の従来の技術として知られるマグネット付きフックは、例えば特開２００５−２１８４８７が開示され、発明の名称「磁性吊下具」が知られる。これらは、マグネットを取り付けたマグネット取付本体と、当該マグネット取付本体に、支軸を支点に回動自在に取り付けられると共に、吊下具を取り付けた吊下具取付本体と、前記支軸の上方に位置して、吸着時に前記壁面に近接するように前記吊下具取付本体に設けられたローラー状の壁当てとを備えている。これらの磁性吊下具は、吊下具を手前に持ち上げると、主軸を支点としたテコの原理により、所定のモーメント力を持ってローラー状の壁当てが回転しながら壁面を押し圧し、その結果、マグネット取付本体を壁面より引き離す力が作用するため、壁面に磁気吸着された磁性吊下具を壁面より簡単に取り外すことができる構成作用からなる。【０００３】  そしてまた、前記吊下具付本体の壁面当接側に例えば、粘着ゲル素材シート等を貼り付け、その粘着力で、滑り止めとしての構成を付帯している。
【考案の開示】
【考案が解決しようとする課題】
【０００４】  しかしながら、上記する従来技術での磁性吊下具（マグネット付きフック）は、金属性壁面での家財道具や家庭用品に吸着して装備した、マグネット付きフックを取り外す為に設けた、ローラー状の壁当ては、物品を吊り下げる吊下具を上に向け持ち上げることで、回転しながら壁面に連動作用する回転押し圧でマグネットを斜めに持ち上げ傾斜させ、壁面との吸着を弱めた後で、掛け部が極端に狭くなって傾いたままの吊下具を再度持ち上げる等の２段モーションでマグネット取付本体を引き離すことになる為、吊下具に物品を引っ掛ける際や物品を取り外す際の僅かな力で壁当てローラーが同方向の弱い付加で、吊下具が上方に向け、不測に移動してししまい、使用に支障を来すなどの課題が残る。【０００５】  そして又、滑り止めのシートと樹脂製のマグネット取付本体との接合に、双方の異質の材質の接着強度に問題が多く、取り外しで、双方の接着剥れや、或いは、数回での繰り返しでの接着力低下等に幾つかの課題が残る。特に、これらの磁性吊下具に利用される、ウレタン系等の粘着ゲル素材シートＢと合成樹脂材の接合において双方の接着剥がれが課題になる。
【課題を解決する為の手段】
【０００６】  この考案は、かかる課題を解決するために、請求項１での本考案は、図１での分解図と図２での使用例で述べるように、物品を吊るすフック１を備えた、厚みのある合成樹脂製のフック台座２の裏面２ａの一部に固接された、コの字形金属ヨーク３をマグネット４の側面に磁気的に吸着させて、一体化してなるマグネット付きフックにおいて、当該厚みのあるフック台座２に一体化するマグネット４に近接して開口するフック軸孔５は、太い孔６と軸孔６ａの段付き孔で、裏面２ａ側に設けた太穴６ａの定位置に谷６ｂに除々に山６ｃに連なるカム体７形状で、表面２ｂ側は、細孔６ａとしている，そして、この段付きのフック軸孔５に差し込まれ円滑に回動するフック軸９は太軸９ａと細軸９ｂの段付き軸で、このフック軸９の細軸９ｂにはフック１を保持するフック止め孔１０にフック１が差し込まれ保持され、太軸９ａの段部には前記カム体７の谷６ｂと整合する山６０ｃと太孔６の山６ｃに整合する太軸９ａの谷６０ｂとが整合して、フック１がフック台座２の定位置に保持さる。このフック１の左と右の回動で太軸９ａの山６０ａが除々に太孔６の山６ｃに乗り上げられ、端子側面９ｃがマグネット４表面と同つら面より徐々に突き出ることでマグネット４の磁気吸着する鉄板Ａを押し圧し、その結果、磁気吸着されたフック台座がフック１の回動に依って、鉄板Ａ（壁面）に強着するフック台座のマグネット４を引き離す作用構成でなるマグネット付きフックを具現化している。
【０００７】  そしてまた、前記するフック台座２の壁面当接側である裏面２ａに一体化するマグネット４に近接して、該マグネット４のつら面より僅か突出の段差で、スチレン系、ウレタン系等の粘着ゲル素材シートＢをフック台座２に貼り付け、マグネット４の吸着後の滑り保持力不足を補強可能な構成とする。そして又、粘着ゲル素材シートＢとフック台座２との貼り付けを、２重成形で粘着ゲル素材シートＢをフック台座２に一体化し、剥がれる事の無い強接合でなる構成とする。
【考案の効果】
【０００８】  本考案は上述の通り構成作用するので次ぎの優れた効果を奏する。即ち、請求項１での効果は、マグネット付きフックを磁気吸着面より取り外すのに、フック台座に設けたフックを回すことでフック軸が徐々に突き出して、壁面より引き離す力が作用することで、フックを回さない限りは、マグネットを剥がせない、マグネット付きフックを提供出来る。
【０００９】  次ぎに又、請求項２での効果は、物品の引っ掛け荷重でマグネットの下側方向への滑り止めとして使われる粘着ゲル素材シートの接着が功を奏するが、更に、請求功３での効果は、２重成形でフック台座に一体化することで、双方の接着剥がれの無い滑り止めの付いたマグネット付きフックを提供出来る。
【考案を実施するための最良の形態】
【００１０】  以下図示の実施例に基づいて、本考案を更に詳細に説明する。即ち、図１は本考案での第１実施例に基づく分解図を示しての斜視図で、図２も本考案での同じく第１実施例での使用例を示す全体斜視図で、矩形状でなる合成樹脂製のフック台座２の裏面２ａにマグネット４を貼り付けるが、マグネット４はコの字形金属ヨーク３をマグネット４の側面に磁気的に吸着しての貼り付けとし、或いは、接着剤を使っての貼り合わせが好まれ、そして、金属ヨーク３と合成樹脂製のフック台座２との貼り付けは、一般的にはフック台座２の裏面２ａを箱状に落とし込んだ窪みの一部に撓みのあるスナップを設けて、接着剤不要での双方の結合等での接合が好ましい。【００１１】  そして、前記するフック台座２に金属ヨーク−３を介して一体化したマグネットに近接して設けた、フック軸孔５には、個別でなるフック軸９が、物品を吊るす為のフック１を備えて、太孔６と細孔８の段付きでなるフック軸孔５に程よい固さで差し込まれ、該フック軸９は太軸９ａと細軸９ｂでの段付き軸で、これがフック軸孔５に矢印方向に差し込まれて双方が係合するが、細孔８に連なる太孔６の段部底６ａを定位置（起点）に設けた谷６ｂから除々に山６ｃに連なるカム体７形状でなり、これに差し込まれて回動するフック軸９の段部底６ａには、前記カム体７の谷６ｂと整合して係止する山６０ｃ形状からなり、また、前記山６ｃに整合して係止する谷６０ｂ形状連係で、そして、このフック軸９の細軸９ｂはフック台座２の表面２ｂに突き出し、この細軸９ｂのフック止め孔１０には、物品を引っ掛ける為のフック１が差し込み固着でなる構成とする。【００１２】  そして、差し込まれたフック軸９の軸方向への移動量は、フック台座２の表面２ｂ軸孔８部にフック１の根元が突き当たる迄の隙間を限界として、その移動量は太軸９ａ端子側面９ｃがマグネット表面４ａと同じつら面を起点とし突き出し、マグネット４の磁気吸着する鉄板Ａを突き上げ回動しながら移動させる量を決定することになり、即ち、この移動量がカム体７の谷６ｂから山６０ｃの最高の変化量に相当する構成である。【００１３】  即ち、図１、図２での本考案の第１実施例では、マグネット付きフックのマグネット４の磁気吸着が家財用具などの鉄板Ａ壁面に矢印方向に吸い付き、これらを、取り外すにフック１を摘んで右方向（矢印方向）に回動させることで、おおよそ９０度回動角でフック軸９も其れに同期して右方向に回動しながら裏面２ａより突き出し、鉄板Ａが押し付けられてマグネット４の上部辺を支点に、フック軸９端子側面９ｃを力点としてマグネット４が剥離するが、傾いたフック台座を素手で摘み取り離すことになり、フック１を左方向（矢印逆方向）に回動する事で、フック軸９端子側面９ｃが元の起点に逆戻りする事になる。【００１４】  次ぎに、図３は本考案での第２実施例に基づく斜視図で、前記するフック台座２の裏面２ａに一体化でなるマグネット４に近接して、該マグネット４のつら面より僅か突き出の段差で、スチレン系或いは、ウレタン系等の粘着ゲル素材シートＢをフック台座２に貼り付け、マグネット４の吸着後の物品引っ掛け過荷重の滑りを止めに使われることで、マグネット４の横滑り保持力の磁力��下を補強とした付加機能構成である。そしてまた、本考案での第３実施例を図４での要部断面で示す様に、フック台座２に貼り付けて滑り止めにする粘着ゲル素材シートＢのフック台座２との貼り付け接着強度が繰り返し貼り替えでの粘着強度の劣化、特にフック台座２面と粘着ゲル素材シートＢの双方の接着強度を改善の為、粘着ゲル素材シートＢの自己接着に加え、２重成形で高度な接着力を具現化する構成としたもので、前記する双方の面での接着から、双方の異質でなる素材を組み合わせるる構造からねる２重成形を付加する構成である。
【図面の簡単な説明】
【００１５】
【図１】  本考案に係わる第１実施例での分解図での斜視図である。
【図２】  本考案に係わる第１実施例での使用例での斜視図である。
【図３】  本考案に係わる第２実施例での斜視図である。
【図４】  本考案に係わる第３実施例での斜視図である。
【符合の説明】
【００１６】        Ａ      鉄板
Ｂ      粘着ゲル素材シート
１      フック
２      フック台座
２ａ    裏面
２ｂ    表面
３      金属ヨーク
４      マグネット
４ａ    マグネット表面
５      フック軸孔
６      太孔
６ａ    段部底
６ｂ，６０ｂ  谷
６ｃ，６０ｃ  山
７      カム体
８      細軸
９      フック軸
９ａ    太軸
９ｂ    細軸
９ｃ    端子側面
１０    フック止め孔
【図１】
0003143389.tif 000003
【図２】
0003143389.tif 000004
【図３】
0003143389.tif 000005
【図４】
0003143389.tif 000006